(57)【要約】【課題】表面実装後の端子付き電気化学セルに振動等の負荷が加わっても、第２端子の実装部の下面の接続に劣化を生じることを防止できる端子付き電気化学セルを提供する。【解決手段】端子付き電気化学セル２０の第２端子２３は電気化学セル２１に外接する外接正方形ＩＱの一対角線ＤＬの方向に配置されていると共に、該第２端子２３の実装部２３ｃの一部（１つの三角形領域）は外接正方形ＩＱの一角を形成する２つの辺から外側に突出しておらず、且つ、残部（２つの三角形領域）は該外接正方形ＩＱの一角を形成する２つの辺から外側に突出している。【選択図】図２
2012195202.tif 000002
【特許請求の範囲】
【請求項１】
正極と負極の一方として使用されるセルケースと他方として使用されるセルキャップとの内側に発電素子または蓄電素子が封入されたボタン型或いはコイン型の電気化学セルと、固定部と実装部とを連続して有し該固定部を前記セルケースと前記セルキャップの一方に固着された第１端子と、固定部と高さ確保用脚部と実装部とを連続して有し該固定部を前記セルケースと前記セルキャップの他方に固着された第２端子とを備え、前記電気化学セルをその厚さ方向の一面が回路基板の被実装面と向き合った姿勢で表面実装するときに前記第１端子の実装部の下面と前記第２端子の実装部の下面が該回路基板のパッドに接続される実装面となっている端子付き電気化学セルにおいて、
前記第２端子は前記電気化学セルに外接する外接正方形の一対角線の方向に配置されていると共に、該第２端子の実装部の下面の一部は前記外接正方形の一角を形成する２つの辺から外側に突出しておらず、且つ、該実装部の下面の残部は前記外接正方形の一角を形成する２つの辺から外側に突出している、
ことを特徴とする端子付き電気化学セル。
【請求項２】
前記第２端子の実装部の下面は該下面の面積が前記一対角線によって二等分される形状を成していて、前記外接正方形の一角を形成する２つの辺から外側に突出する前記残部の面積は前記一対角線の両側において同じになっている、
ことを特徴とする請求項１に記載の端子付き電気化学セル。
【請求項３】
前記第２端子の実装部の下面の形状が、該実装部と前記脚部との境界線と同じ寸法の２つの長辺と該長辺よりも小さい寸法の２つの短辺とで囲まれた長方形であり、且つ、前記境界線が前記２つの長辺の一方として用いられている、
ことを特徴とする請求項２に記載の端子付き電気化学セル。
【請求項４】
前記第２端子の実装部の下面を形成する前記境界線の両端は前記外接正方形の一角を形成する２つの辺上にそれぞれ位置していて、前記長方形の２つの短辺の寸法は前記境界線の寸法の１／２となっている、
ことを特徴とする請求項３に記載の端子付き電気化学セル。
【請求項５】
前記第２端子の実装部の下面の形状が、該実装部と前記脚部との境界線と同じ寸法の１つの線分と１つの湾曲線とで囲まれたＵ字形であり、且つ、前記境界線が前記線分として用いられている、
ことを特徴とする請求項２に記載の端子付き電気化学セル。
【請求項６】
前記第２端子の実装部の下面を形成する前記境界線の両端は前記外接正方形の一角を形成する２つの辺上にそれぞれ位置していて、前記Ｕ字形の高さに当たる寸法は前記境界線の寸法の１／２となっている、
ことを特徴とする請求項５に記載の端子付き電気化学セル。
【請求項７】
前記第２端子の実装部の下面の形状が、該実装部と前記脚部との境界線と同じ寸法の下底と該下底と寸法が異なる上底と２つの辺とで囲まれた台形であり、且つ、前記境界線が前記下底として用いられている、
ことを特徴とする請求項２に記載の端子付き電気化学セル。
【請求項８】
前記第２端子の実装部の下面を形成する前記境界線の両端は前記外接正方形の一角を形成する２つの辺上にそれぞれ位置していて、前記台形の高さに当たる寸法は前記境界線の寸法の１／２となっている、
ことを特徴とする請求項７に記載の端子付き電気化学セル。
【請求項９】
前記第２端子の実装部の下面の形状が、該実装部と前記脚部との境界線と同じ寸法の底辺と２つの辺とで囲まれた三角形であり、且つ、前記境界線が前記底辺として用いられている、
ことを特徴とする請求項２に記載の端子付き電気化学セル。
【請求項１０】
前記第２端子の実装部の下面を形成する前記境界線の両端は前記外接正方形の一角を形成する２つの辺上にそれぞれ位置していて、前記三角形の高さに当たる寸法は前記境界線の寸法の１／２よりも大きい、
ことを特徴とする請求項９に記載の端子付き電気化学セル。
【請求項１１】
前記第２端子の実装部の下面の形状は、該実装部と前記脚部との境界線よりも大きな寸法の２つの長辺と該長辺よりも小さい寸法の２つの短辺とで囲まれた長方形であり、且つ、前記境界線が前記２つの長辺の一方の一部として用いられている、
ことを特徴とする請求項２に記載の端子付き電気化学セル。
【請求項１２】
前記第２端子の実装部の下面を形成する前記境界線の両端は前記外接正方形の一角を形成する２つの辺上にそれぞれ位置していて、前記長方形の２つの短辺の寸法は前記境界線の寸法の１／２となっている、
ことを特徴とする請求項１１に記載の端子付き電気化学セル。
【発明の詳細な説明】
【技術分野】
【０００１】
本発明は、ボタン型或いはコイン型の電気化学セルに表面実装用の一対の端子を設けて構成された端子付き電気化学セルに関する。
【背景技術】
【０００２】
特許文献１（特許第４５７０９０２号公報）には、回路基板に表面実装するときの実装面積低減を図った端子付き電気化学セルが開示されている。図１（Ａ）〜図１（Ｃ）は特許文献１に開示された端子付き電気化学セルを示すもので、該端子付き電気化学セル１０は、ボタン型或いはコイン型の電気化学セル１１に表面実装用の第１端子１２及び第２端子１３を設けて構成されている。因みに、図１（Ａ）及び図１（Ｂ）に記した＋印は電気化学セル１１の中心を示し、二点鎖線の正方形は電気化学セル１１に外接する外接正方形ＩＱを示し、一点鎖線の直線は外接正方形ＩＱの一対角線ＤＬを示す。
【０００３】
電気化学セル１１は、底を有する円筒形状のセルケース１１ａと、セルケース１１ａの開口に配置されたセルキャップ１１ｂと、セルケース１１ａとセルキャップ１１ｂの間に介装された密封用のガスケット１１ｃと、セルケース１１ａとセルキャップ１１ｂの内側に封入された発電素子または蓄電素子（図示省略）とを有している。この電気化学セル１１は所定の外径及び厚さを有しており、セルケース１１ａとセルキャップ１１ｂの一方は正極として使用され他方は負極として使用される。
【０００４】
第１端子１２は、矩形状で所定厚さの金属板を異なる位置で二度折り曲げることによって形成されており、矩形状の固定部１２ａと、固定部１２ａの端縁から下側に斜めに折れ曲がる段差部１２ｂと、段差部１２ｂの端縁から外側に向かって延びる矩形状の実装部１２ｃとを連続して有している。
【０００５】
この第１端子１２は、固定部１２ａの上面一部をセルキャップ１１ｂの円形平面に溶接等によって固着されている。実装部１２ｃの下面は、電気化学セル１１をその厚さ方向の一面（図面ではセルキャップ１１ｂの円形平面）が回路基板（図示省略）の被実装面と向き合った姿勢で表面実装するときに該回路基板のパッドに接続される実装面となっている。
【０００６】
図１（Ｂ）から分かるように、第１端子１２の実装部１２ｃの下面の形状は、該実装部１２ｃと段差部１２ｂとの境界線（符号無し）と同じ寸法の２つの長辺と該長辺よりも短い寸法の２つの短辺とで囲まれ、且つ、該境界線が該２つの長辺の一方として用いられた長方形（図１（Ｂ）の網掛けを参照）を成しており、該実装部１２ｃの下面（長方形面）は外接正方形ＩＱの内側に位置している。
【０００７】
第２端子１３は、略矩形状で所定厚さの金属板を異なる位置で二度折り曲げることによって形成されており、略矩形状の固定部１３ａと、固定部１３ａよりも幅が小さく、且つ、固定部１３ａの端縁から下側に直角に折れ曲がる矩形状の脚部１３ｂ（１３ｂ１は固定部１３ａとの境界線を示す）と、脚部１３ｂの端縁から外側に直角に折れ曲がる三角形状の実装部１３ｃ（１３ｃ１は脚部１３ｂとの境界線を示す）とを連続して有している。
【０００８】
この第２端子１３は、外接正方形ＩＱの一対角線ＤＬの方向に配置され、且つ、固定部１３ａの下面一部をセルケース１１ａの円形平面に溶接等によって固着されている。脚部１３ｂは、固定部１３ａと実装部１３ｃとの間に電気化学セル１１の厚さに対応する高さを確保する部分となっており、実装部１３ｃの下面は、電気化学セル１１をその厚さ方向の一面（図面ではセルキャップ１１ｂの円形平面）が回路基板（図示省略）の被実装面と向き合った姿勢で表面実装するときに該回路基板のパッドに接続される実装面となっている。
【０００９】
図１（Ｂ）から分かるように、第２端子１３の実装部１３ｃの下面の形状は、境界線１３ｃ１と同じ寸法の底辺と２つの辺とで囲まれ、且つ、該境界線１３ｃ１が該底辺として用いられた三角形（図１（Ｂ）の網掛けを参照）を成しており、該実装部１３ｃの下面（三角形面）はその頂角を形成する２つの辺が外接正方形ＩＱの一角を形成する２つの辺に沿うように該一角の内側に位置している。
【００１０】
前記端子付き電気化学セル１０は、第１端子１２の実装部１２ｃの下面（長方形面）と第２端子１３の実装部１３ｃの下面（三角形面）をハンダ等の接合材を介して回路基板のパッドに接続することによって、電気化学セル１１の厚さ方向の一面（図面ではセルキャップ１１ｂの円形平面）が回路基板の被実装面と向き合った姿勢で表面実装される。
【００１１】
ところで、前記端子付き電気化学セル１０にあっては、第２端子１３の実装部１３ｃの下面（三角形面）の面積が第１端子１２の実装部１２ｃの下面（長方形面）の面積よりも小さいため、表面実装後の端子付き電気化学セル１０に振動等の負荷が加わったときに、第１端子１２の実装部１２ｃの下面よりも第２端子１３の実装部１３ｃの下面に大きな応力が生じる現象、即ち、応力偏りが生じる恐れがあり、該応力偏りを原因として第２端子１３の実装部１３ｃの下面の接続に劣化が生じる恐れがある。
【先行技術文献】
【特許文献】
【００１２】
【特許文献１】特許第４５７０９０２号公報
【発明の概要】
【発明が解決しようとする課題】
【００１３】
本発明の目的は、表面実装後の端子付き電気化学セルに振動等の負荷が加わっても、第２端子の実装部の下面の接続に劣化を生じることを防止できる端子付き電気化学セルを提供することにある。
【課題を解決するための手段】
【００１４】
前記目的を達成するため、本発明は、正極と負極の一方として使用されるセルケースと他方として使用されるセルキャップとの内側に発電素子または蓄電素子が封入されたボタン型或いはコイン型の電気化学セルと、固定部と実装部とを連続して有し該固定部を前記セルケースと前記セルキャップの一方に固着された第１端子と、固定部と高さ確保用脚部と実装部とを連続して有し該固定部を前記セルケースと前記セルキャップの他方に固着された第２端子とを備え、前記電気化学セルをその厚さ方向の一面が回路基板の被実装面と向き合った姿勢で表面実装するときに前記第１端子の実装部の下面と前記第２端子の実装部の下面が該回路基板のパッドに接続される実装面となっている端子付き電気化学セルにおいて、前記第２端子は前記電気化学セルに外接する外接正方形の一対角線の方向に配置されていると共に、該第２端子の実装部の下面の一部は前記外接正方形の一角を形成する２つの辺から外側に突出しておらず、且つ、該実装部の下面の残部は前記外接正方形の一角を形成する２つの辺から外側に突出している、ことをその特徴とする。
【発明の効果】
【００１５】
本発明によれば、第２端子が外接正方形の一対角線の方向に配置されていると共に、該第２端子の実装部の下面の一部が外接正方形の一角を形成する２つの辺から外側に突出しておらず、且つ、該実装部の下面の残部は外接正方形の一角を形成する２つの辺から外側に突出していることから、第２端子の実装部の下面の面積を増加させて第１端子の実装部の下面の面積との格差を小さくできるため、表面実装後の端子付き電気化学セルに振動等の負荷が加わっても、第２端子の実装部の下面に第１端子の実装部の下面よりも大きな応力が生じることを抑制して該実装部の下面の接続に劣化を生じることを防止できる。
【００１６】
本発明の前記目的とそれ以外の目的と、構成特徴と、作用効果は、以下の説明と添付図面によって明らかとなる。
【図面の簡単な説明】
【００１７】
【図１】図１（Ａ）は従来の端子付き電気化学セルの上面図、図１（Ｂ）は図１（Ａ）に示した端子付き電気化学セルの下面図、図１（Ｃ）は図１（Ａ）に示した端子付き電気化学セルをＣ方向から見た側面図である。
【図２】図２（Ａ）は本発明を適用した端子付き電気化学セル（第１実施形態）の上面図、図２（Ｂ）は図２（Ａ）に示した端子付き電気化学セルの下面図、図２（Ｃ）は図２（Ａ）に示した端子付き電気化学セルをＣ方向から見た側面図、図２（Ｄ）は図２（Ｂ）の要部拡大図である。
【図３】図３（Ａ）は本発明を適用した端子付き電気化学セル（第２実施形態）の上面図、図３（Ｂ）は図３（Ａ）に示した端子付き電気化学セルの下面図、図３（Ｃ）は図３（Ａ）に示した端子付き電気化学セルをＣ方向から見た側面図、図３（Ｄ）は図３（Ｂ）の要部拡大図である。
【図４】図４（Ａ）は本発明を適用した端子付き電気化学セル（第３実施形態）の上面図、図４（Ｂ）は図４（Ａ）に示した端子付き電気化学セルの下面図、図４（Ｃ）は図４（Ａ）に示した端子付き電気化学セルをＣ方向から見た側面図、図４（Ｄ）は図４（Ｂ）の要部拡大図である。
【図５】図５（Ａ）と図５（Ｂ）は図４（Ａ）〜図４（Ｄ）に示した端子付き電気化学セル（第３実施形態）の第２端子の形状変形例をそれぞれ示す図４（Ｄ）対応の要部拡大図である。
【図６】図６（Ａ）は本発明を適用した端子付き電気化学セル（第４実施形態）の上面図、図６（Ｂ）は図６（Ａ）に示した端子付き電気化学セルの下面図、図６（Ｃ）は図６（Ａ）に示した端子付き電気化学セルをＣ方向から見た側面図、図６（Ｄ）は図６（Ｂ）の要部拡大図である。
【図７】図７（Ａ）は本発明を適用した端子付き電気化学セル（第５実施形態）の上面図、図７（Ｂ）は図７（Ａ）に示した端子付き電気化学セルの下面図、図７（Ｃ）は図７（Ａ）に示した端子付き電気化学セルをＣ方向から見た側面図、図７（Ｄ）は図７（Ｂ）の要部拡大図である。
【発明を実施するための形態】
【００１８】
［第１実施形態］
図２（Ａ）〜図２（Ｄ）は本発明を適用した端子付き電気化学セル（第１実施形態）を示すもので、該端子付き電気化学セル２０は、ボタン型或いはコイン型の電気化学セル２１に表面実装用の第１端子２２及び第２端子２３を設けて構成されている。因みに、図２（Ａ）、図２（Ｂ）及び図２（Ｄ）に記した＋印は電気化学セル２１の中心を示し、二点鎖線の正方形は電気化学セル２１に外接する外接正方形ＩＱを示し、一点鎖線の直線は外接正方形ＩＱの一対角線ＤＬを示す。
【００１９】
以下、端子付き電気化学セル２０の全体構造について説明し、該説明に続けて端子付き電気化学セル２０に依る効果について説明し、該説明に続いて第２端子２３の形状変形例等について説明する。
【００２０】
電気化学セル２１は、底を有する円筒形状のセルケース２１ａと、セルケース２１ａの開口に配置されたセルキャップ２１ｂと、セルケース２１ａとセルキャップ２１ｂの間に介装された密封用のガスケット２１ｃと、セルケース２１ａとセルキャップ２１ｂの内側に封入された発電素子または蓄電素子（図示省略）とを有している。この電気化学セル２１は所定の外径及び厚さを有しており、セルケース２１ａとセルキャップ２１ｂの一方は正極として使用され他方は負極として使用される。
【００２１】
発電素子には電気化学セル２１を公知の各種電池、例えば、アルカリ電池やリチウム電池やリチウムイオン電池等として機能させるのに適したものが適宜利用でき、また、蓄電素子には電気化学セル２１を公知の各種キャパシタ、例えば、電気二重層キャパシタやリチウムイオンキャパシタ等として機能させるのに適したものが適宜利用できるため、ここでの説明を省略する。
【００２２】
第１端子２２は、ニッケルやステンレスやニッケル−鉄合金等から成る矩形状で所定厚さの金属板を異なる位置で二度折り曲げることによって形成されており、矩形状の固定部２２ａと、固定部２２ａの端縁から下側に斜めに折れ曲がる段差部２２ｂと、段差部２２ｂの端縁から外側に向かって延びる矩形状の実装部２２ｃとを連続して有している。また、固定部２２ａの一角（第２端子２３の実装部２３ｃに近い方の一角）には切り欠き２２ｄが形成されている。
【００２３】
この第１端子２２は、固定部２２ａの上面一部をセルキャップ２１ｂの円形平面にレーザー溶接や抵抗溶接や超音波溶接等の接合手法によって固着されている。実装部２２ｃの下面は、電気化学セル２１をその厚さ方向の一面（図面ではセルキャップ２１ｂの円形平面）が回路基板（図示省略）の被実装面と向き合った姿勢で表面実装するときに該回路基板のパッドに接続される実装面となっている。
【００２４】
図２（Ｂ）から分かるように、第１端子２２の実装部２２ｃの下面の形状は、該実装部２２ｃと段差部２２ｂとの境界線（符号無し）と同じ寸法の２つの長辺と該長辺よりも短い寸法の２つの短辺とで囲まれ、且つ、該境界線が該２つの長辺の一方として用いられた長方形（図２（Ｂ）の網掛けを参照）を成しており、４つの角の角度は９０度である。この実装部２２ｃの下面（長方形面）は、長方形の一角を形成する２つの辺が外接正方形ＩＱの一角を形成する２つの辺に重なるように位置しており、該長方形の一角が該外接正方形の一角に位置している。
【００２５】
要するに、第１端子２２の実装部２２ｃの下面は外接正方形ＩＱから外側に突出していない。
【００２６】
第２端子２３は、ニッケルやステンレスやニッケル−鉄合金等から成る略矩形状で所定厚さの金属板を異なる位置で二度折り曲げることによって形成されており、略矩形状の固定部２３ａと、固定部２３ａよりも幅が小さく、且つ、固定部２３ａの端縁から下側に直角に折れ曲がる矩形状の脚部２３ｂ（２３ｂ１は固定部２３ａとの境界線を示す）と、脚部２３ｂの端縁から外側に直角に折れ曲がる矩形状の実装部２３ｃ（２３ｃ１は脚部２３ｂとの境界線を示す）とを連続して有している。
【００２７】
この第２端子２３は外接正方形ＩＱの一対角線ＤＬの方向に配置されており、レーザー溶接や抵抗溶接や超音波溶接等の接合手法によって固定部２３ａの下面一部をセルケース２１ａの円形平面に固着されている。脚部２３ｂは、固定部２３ａと実装部２３ｃとの間に電気化学セル２１の厚さに対応する高さを確保する部分となっており、実装部２３ｃの下面は、電気化学セル２１をその厚さ方向の一面（図面ではセルキャップ２１ｂの円形平面）が回路基板（図示省略）の被実装面と向き合った姿勢で表面実装するときに該回路基板のパッドに接続される実装面となっている。
【００２８】
図２（Ｂ）及び図２（Ｄ）から分かるように、第２端子２３の実装部２３ｃの下面の形状は、境界線２３ｃ１と同じ寸法Ｌ１の２つの長辺と該長辺よりも小さい寸法Ｌ２の２つの短辺とで囲まれ、且つ、該境界線２３ｃ１が該２つの長辺の一方として用いられた長方形（図２（Ｂ）の網掛けを参照）を成しており、４つの角の角度は９０度である。この実装部２３ｃの下面（長方形面）は、該下面を形成する境界線２３ｃ１の両端が外接正方形ＩＱの一角を形成する２つの辺上にそれぞれ位置しており、長方形の２つの長辺の中心が一対角線ＤＬ上に位置している。また、長方形の２つの短辺の寸法Ｌ２が境界線２３ｃ１の寸法Ｌ１の１／２となっているため、外側の長辺の中心が外接正方形ＩＱの一角に位置している。
【００２９】
要するに、第２端子２３の実装部２３ｃの下面（長方形面）の一部（１つの三角形領域）は外接正方形ＩＱの一角を形成する２つの辺から外側に突出しておらず、且つ、該実装部２３ｃの下面（長方形面）の残部（２つの三角形領域）は該外接正方形ＩＱの一角を形成する２つの辺から外側に突出している。また、第２端子２３の実装部２３ｃの下面（長方形面）はその面積が一対角線ＤＬによって二等分されているため、外接正方形ＩＱの一角を形成する２つの辺から外側に突出する前記残部（２つの三角形領域）の面積は一対角線ＤＬの両側において同じになっている。
【００３０】
前記端子付き電気化学セル２０は、第１端子２２の実装部２２ｃの下面（長方形面）と第２端子２３の実装部２３ｃの下面（長方形面）をハンダ等の接合材を介して回路基板のパッドに接続することによって、電気化学セル２１の厚さ方向の一面（図面ではセルキャップ２１ｂの円形平面）が回路基板の被実装面と向き合った姿勢で表面実装される。
【００３１】
前述の端子付き電気化学セル２０にあっては、第２端子２３が外接正方形ＩＱの一対角線ＤＬの方向に配置されていると共に、該第２端子２３の実装部２３ｃの下面（長方形面）の一部（１つの三角形領域）が外接正方形ＩＱの一角を形成する２つの辺から外側に突出しておらず、且つ、該実装部２３ｃの下面（長方形面）の残部（２つの三角形領域）が該外接正方形ＩＱの一角を形成する２つの辺から外側に突出している。つまり、第２端子２３の実装部２３ｃの下面の面積を増加させて第１端子２２の実装部２２ｃの下面の面積との格差を小さくできるため、表面実装後の端子付き電気化学セル２０に振動等の負荷が加わっても、第２端子２３の実装部２３ｃの下面に第１端子２２の実装部２２ｃの下面よりも大きな応力が偏って生じることを抑制して該実装部２３ｃの下面の接続に劣化を生じることを防止できる。
【００３２】
また、前述の端子付き電気化学セル２０にあっては、第２端子２３の実装部２３ｃの下面（長方形面）が該下面の面積を一対角線ＤＬによって二等分される形状を成していて、外接正方形ＩＱの一角を形成する２つの辺から外側に突出する前記残部（２つの三角形領域）の面積が該一対角線ＤＬの両側において同じになっている。つまり、第２端子２３の実装部２３ｃの下面の面積を増加させる場合でも、表面実装後の端子付き電気化学セル２０に振動等の負荷が加わったときに第２端子２３の実装部２３ｃの下面に生じた応力を一対角線ＤＬの両側で均等になるようにして、前記の接続劣化の防止に貢献できる。
【００３３】
さらに、前述の端子付き電気化学セル２０にあっては、第２端子２３の実装部２３ｃの下面の形状が、該実装部２３ｃと脚部２３ｂとの境界線２３ｃ１と同じ寸法の２つの長辺と該長辺よりも小さい寸法の２つの短辺とで囲まれた長方形であり、且つ、該境界線２３ｃ１が該２つの長辺の一方として用いられている。つまり、第２端子２３の実装部２３ｃの下面（長方形面）の脚部２３ｂ側の２つの角の角度が９０度であり他の２つの角の角度も９０度であるため、表面実装後の端子付き電気化学セル２０に振動等の負荷が加わったときに第２端子２３の実装部２３ｃの下面に生じた応力が脚部２３ｂ側の２つの角に集中することを抑制して、前記の接続劣化の防止に貢献できる。これに対し、図１（Ａ）〜図１（Ｃ）に示した従来の端子付き電気化学セル１０にあっては、第２端子１３の実装部１３ｃの下面（三角形面）の脚部１３ｂ側の２つの角の角度が４５度であり他の１つの角の角度が９０度であるため、該実装部１３ｃの下面に生じた応力が小角度である脚部１３ｂ側の２つの角に集中し易い。
【００３４】
さらに、前述の端子付き電気化学セル２０にあっては、第２端子２３の実装部２３ｃの下面を形成する境界線２３ｃ１の両端が外接正方形ＩＱの一角を形成する２つの辺上にそれぞれ位置していて、前記長方形の２つの短辺の寸法Ｌ２が該境界線２３ｃ１の寸法Ｌ１の１／２となっている。つまり、第２端子２３の実装部２３ｃの下面の面積を増加させる場合でも、外接正方形ＩＱの一角を形成する２つの辺から外側に突出する前記残部（２つの三角形領域）の面積を極力低減して、端子付き電気化学セル２０を回路基板に表面実装するときの実装面積が必要以上に増加してしまうことを防止できる。
【００３５】
さらに、前述の端子付き電気化学セル２０にあっては、外接正方形ＩＱの一角に第２端子２３の実装部２３ｃの下面が存し、該外接正方形ＩＱの一角と隣接する一角に第１端子２２の実装部２２ｃの下面の一部が存する態様を有し、該端子付き電気化学セル２０を下から見たときに第２端子２３の実装部２３ｃの下面の全部が電気化学セル２１から外側に突出し、且つ、該実装部２３ｃの下面面積に匹敵する面積をもって第１端子２２の実装部２２ｃの下面の一部が電気化学セル２１から外側に突出している。つまり、端子付き電気化学セル２０をリフローハンダ付けによって回路基板に表面実装するときに、ハンダ付け不良、例えば第２端子２３の実装部２３ｃが浮き上がる現象、所謂、マンハッタン現象が生じることを抑制できる。
【００３６】
尚、図２（Ａ）〜図２（Ｄ）には、第２端子２３の実装部２３ｃの下面が該下面の面積を一対角線ＤＬによって「二等分」される形状を成していて、外接正方形ＩＱの一角を形成する２つの辺から外側に突出する前記残部（２つの三角形領域）の面積が該一対角線ＤＬの両側において「同じ」になっている態様を示したが、部品公差や組立公差や組立後の変形等を考慮すると「二等分」をその意味通りにすることや「同じ」をその意味通りにすることは実際上難しいことから、「二等分」は「正確に二等分」の他に「略二等分」をその意味として含み、「同じ」は「正確に同じ」の他に「略同じ」をその意味として含む。
【００３７】
また、図２（Ａ）〜図２（Ｄ）には、第２端子２３の実装部２３ｃの下面の形状として４つの角全ての角度が「９０度」である「長方形」を示したが、該「長方形」は、４つの角のうちの外側２つの角に丸み付けが施された形や、長方形の４つの角の角度が正確に９０度になっていない形、即ち、長方形と実質的に同一視できる形であれば適宜利用でき、前記同様の効果を発揮できる。加えて、前記「９０度」は、前記「長方形」が正確な長方形であることを前提としたものであるが、該「長方形」が長方形と実質的に同一視できる種々の形を含むことからして９０度に限定されない。
【００３８】
さらに、図２（Ａ）〜図２（Ｄ）には、第２端子２３の実装部２３ｃの下面を形成する境界線２３ｃ１の両端が外接正方形ＩＱの一角を形成する「２つの辺上にそれぞれ位置」していて、長方形の２つの短辺の寸法Ｌ２が該境界線２３ｃ１の寸法Ｌ１の「１／２」となっている態様を示したが、部品公差や組立公差や組立後の変形等を考慮すると「２つの辺上にそれぞれ位置」をその意味通りにすることや「１／２」をその意味通りにすることは実際上難しいことから、「２つの辺上にそれぞれ位置」は「２つの辺上にそれぞれ正確に位置」の他に「２つの辺上にそれぞれ略位置」をその意味として含み、「１／２」は「正確に１／２」の他に「約１／２」をその意味として含む。
【００３９】
さらに、図２（Ａ）〜図２（Ｄ）には、第２端子２３の実装部２３ｃの下面を形成する境界線２３ｃ１の両端が外接正方形ＩＱの一角を形成する「２つの辺上にそれぞれ位置」した態様を示したが、該境界線２３ｃ１の両端は必ずしも「２つの辺上にそれぞれ位置」させる必要は無く、例えば、境界線２３ｃ１の両端が外接正方形ＩＱの一角を形成する２つの辺よりも僅かに内側に位置する態様や、該境界線２３ｃ１の両端が外接正方形ＩＱの一角を形成する２つの辺よりも僅かに外側に位置する態様等を採用しても、前記同様の効果を発揮できる。
【００４０】
さらに、図２（Ａ）〜図２（Ｄ）には、前記長方形の２つの短辺の寸法Ｌ２が境界線２３ｃ１の寸法Ｌ１の「１／２」となっている態様を示したが、該寸法Ｌ２は必ずしも境界線２３ｃ１の寸法Ｌ１の「１／２」とする必要は無く、例えば、寸法Ｌ２が境界線２３ｃ１の寸法Ｌ１の１／２よりも僅かに小さい態様や、寸法Ｌ２が境界線２３ｃ１の寸法Ｌ１の１／２よりも僅かに大きい態様等を採用しても、前記同様の効果を発揮できる。
【００４１】
さらに、図２（Ａ）〜図２（Ｄ）には、第２端子２３として脚部２３ｂの幅が固定部２３ａの幅よりも小さいものを示したが、該脚部２３ｂの幅を固定部２３ａの幅と同じにしても、逆に、該固定部２３ａの幅を脚部２３ｂの幅と同じにしても、前記同様の効果を発揮できる。
【００４２】
［第２実施形態］
図３（Ａ）〜図３（Ｄ）は本発明を適用した端子付き電気化学セル（第２実施形態）を示すもので、該端子付き電気化学セル３０は、ボタン型或いはコイン型の電気化学セル３１に表面実装用の第１端子３２及び第２端子３３を設けて構成されている。因みに、図３（Ａ）、図３（Ｂ）及び図３（Ｄ）に記した＋印は電気化学セル３１の中心を示し、二点鎖線の正方形は電気化学セル３１に外接する外接正方形ＩＱを示し、一点鎖線の直線は外接正方形ＩＱの一対角線ＤＬを示す。
【００４３】
図３（Ａ）〜図３（Ｄ）には、前記端子付き電気化学セル２０（第１実施形態）と区別するために３０番台の符号を用いて端子付き電気化学セル３０を示したが、該端子付き電気化学セル３０の第２端子３３を除く構成は前記端子付き電気化学セル２０（第１実施形態）と同じであるため、ここでは第２端子３３の態様についてのみ説明し、該説明に続けて端子付き電気化学セル３０に依る効果について説明し、該説明に続いて第２端子３３の形状変形例等について説明する。
【００４４】
第２端子３３は、ニッケルやステンレスやニッケル−鉄合金等から成る略矩形状で所定厚さの金属板を異なる位置で二度折り曲げることによって形成されており、略矩形状の固定部３３ａと、固定部３３ａよりも幅が小さく、且つ、固定部３３ａの端縁から下側に直角に折れ曲がる矩形状の脚部３３ｂ（３３ｂ１は固定部３３ａとの境界線を示す）と、脚部３３ｂの端縁から外側に直角に折れ曲がるＵ字形状の実装部３３ｃ（３３ｃ１は脚部３３ｂとの境界線を示す）とを連続して有している。
【００４５】
この第２端子３３は外接正方形ＩＱの一対角線ＤＬの方向に配置されており、レーザー溶接や抵抗溶接や超音波溶接等の接合手法によって固定部３３ａの下面一部をセルケース３１ａの円形平面に固着されている。脚部３３ｂは、固定部３３ａと実装部３３ｃとの間に電気化学セル３１の厚さに対応する高さを確保する部分となっており、実装部３３ｃの下面は、電気化学セル３１をその厚さ方向の一面（図面ではセルキャップ３１ｂの円形平面）が回路基板（図示省略）の被実装面と向き合った姿勢で表面実装するときに該回路基板のパッドに接続される実装面となっている。
【００４６】
図３（Ｂ）及び図３（Ｄ）から分かるように、第２端子３３の実装部３３ｃの下面の形状は、境界線３３ｃ１と同じ寸法Ｌ１の１つの線分と１つの湾曲線（図面では半円弧）とで囲まれ、且つ、該境界線３３ｃ１が該線分として用いられたＵ字形（図面では半円形、図３（Ｂ）の網掛けを参照）を成しており、脚部３３ｂ側の２つの角の角度（前記湾曲線の前記線分との交点における接線が前記線分と成す角度であり、図３（Ｄ）のθで表される）は９０度である。この実装部３３ｃの下面（Ｕ字形面）は、該下面を形成する境界線３３ｃ１の両端が外接正方形ＩＱの一角を形成する２つの辺上にそれぞれ位置しており、Ｕ字形を形成する線分及び湾曲線の中心が一対角線ＤＬ上に位置している。また、Ｕ字形の高さに当たる寸法Ｌ３が境界線３３ｃ１の寸法Ｌ１の１／２となっているため、湾曲線の中心が外接正方形ＩＱの一角に位置している。
【００４７】
要するに、第２端子３３の実装部３３ｃの下面（Ｕ字形面）の一部（１つの三角形領域）は外接正方形ＩＱの一角を形成する２つの辺から外側に突出しておらず、且つ、該実装部３３ｃの下面（Ｕ字形面）の残部（２つの弓形領域）は該外接正方形ＩＱの一角を形成する２つの辺から外側に突出している。また、第２端子３３の実装部３３ｃの下面（Ｕ字形面）はその面積が一対角線ＤＬによって二等分されているため、外接正方形ＩＱの一角を形成する２つの辺から外側に突出する前記残部（２つの弓形領域）の面積は一対角線ＤＬの両側において同じになっている。
【００４８】
前記端子付き電気化学セル３０は、第１端子３２の実装部３２ｃの下面（長方形面）と第２端子３３の実装部３３ｃの下面（Ｕ字形面）をハンダ等の接合材を介して回路基板のパッドに接続することによって、電気化学セル３１の厚さ方向の一面（図面ではセルキャップ３１ｂの円形平面）が回路基板の被実装面と向き合った姿勢で表面実装される。
【００４９】
前述の端子付き電気化学セル３０にあっては、第２端子３３が外接正方形ＩＱの一対角線ＤＬの方向に配置されていると共に、該第２端子３３の実装部３３ｃの下面（Ｕ字形面）の一部（１つの三角形領域）が外接正方形ＩＱの一角を形成する２つの辺から外側に突出しておらず、且つ、該実装部３３ｃの下面（Ｕ字形面）の残部（２つの弓形領域）が該外接正方形ＩＱの一角を形成する２つの辺から外側に突出している。つまり、第２端子３３の実装部３３ｃの下面の面積を増加させて第１端子３２の実装部３２ｃの下面の面積との格差を小さくできるため、表面実装後の端子付き電気化学セル３０に振動等の負荷が加わっても、第２端子３３の実装部３３ｃの下面に第１端子３２の実装部３２ｃの下面よりも大きな応力が偏って生じることを抑制して該実装部３３ｃの下面の接続に劣化を生じることを防止できる。
【００５０】
また、前述の端子付き電気化学セル３０にあっては、第２端子３３の実装部３３ｃの下面（Ｕ字形面）が該下面の面積を一対角線ＤＬによって二等分される形状を成していて、外接正方形ＩＱの一角を形成する２つの辺から外側に突出する前記残部（２つの弓形領域）の面積が該一対角線ＤＬの両側において同じになっている。つまり、第２端子３３の実装部３３ｃの下面の面積を増加させる場合でも、表面実装後の端子付き電気化学セル３０に振動等の負荷が加わったときに第２端子３３の実装部３３ｃの下面に生じた応力を一対角線ＤＬの両側で均等になるようにして、前記の接続劣化の防止に貢献できる。
【００５１】
さらに、前述の端子付き電気化学セル３０にあっては、第２端子３３の実装部３３ｃの下面の形状が、該実装部３３ｃと脚部３３ｂとの境界線３３ｃ１と同じ寸法Ｌ１の１つの線分と１つの湾曲線（図面では半円弧）とで囲まれたＵ字形であり、且つ、該境界線３３ｃ１が該線分として用いられている。つまり、第２端子３３の実装部３３ｃの下面（Ｕ字形面）の脚部３３ｂ側の２つの角の角度が９０度であり他に角が存在しないため、表面実装後の端子付き電気化学セル３０に振動等の負荷が加わったときに第２端子３３の実装部３３ｃの下面に生じた応力が脚部３３ｂ側の２つの角に集中することを抑制して、前記の接続劣化の防止に貢献できる。これに対し、図１（Ａ）〜図１（Ｃ）に示した従来の端子付き電気化学セル１０にあっては、第２端子１３の実装部１３ｃの下面（三角形面）の脚部１３ｂ側の２つの角の角度が４５度であり他の１つの角の角度が９０度であるため、該実装部１３ｃの下面に生じた応力が小角度である脚部１３ｂ側の２つの角に集中し易い。
【００５２】
さらに、前述の端子付き電気化学セル３０にあっては、第２端子３３の実装部３３ｃの下面を形成する境界線３３ｃ１の両端が外接正方形ＩＱの一角を形成する２つの辺上にそれぞれ位置していて、前記Ｕ字形の高さに当たる寸法Ｌ３が境界線３３ｃ１の寸法Ｌ１の１／２となっている。つまり、第２端子３３の実装部３３ｃの下面の面積を増加させる場合でも、外接正方形ＩＱの一角を形成する２つの辺から外側に突出する前記残部（２つの弓形領域）の面積を極力低減して、端子付き電気化学セル３０を回路基板に表面実装するときの実装面積が必要以上に増加してしまうことを防止できる。
【００５３】
さらに、前述の端子付き電気化学セル３０にあっては、外接正方形ＩＱの一角に第２端子３３の実装部３３ｃの下面が存し、該外接正方形ＩＱの一角と隣接する一角に第１端子３２の実装部３２ｃの下面の一部が存する態様を有し、該端子付き電気化学セル３０を下から見たときに第２端子３３の実装部３３ｃの下面の全部が電気化学セル３１から外側に突出し、且つ、該実装部３３ｃの下面面積に匹敵する面積をもって第１端子３２の実装部３２ｃの一部が電気化学セル３１から外側に突出している。つまり、端子付き電気化学セル３０をリフローハンダ付けによって回路基板に表面実装するときに、ハンダ付け不良、例えば第２端子３３の実装部３３ｃが浮き上がる現象、所謂、マンハッタン現象が生じることを抑制できる。
【００５４】
尚、図３（Ａ）〜図３（Ｄ）には、第２端子３３の実装部３３ｃの下面が該下面の面積を一対角線ＤＬによって「二等分」される形状を成していて、外接正方形ＩＱの一角を形成する２つの辺から外側に突出する前記残部（２つの弓形領域）の面積が該一対角線ＤＬの両側において「同じ」になっている態様を示したが、部品公差や組立公差や組立後の変形等を考慮すると「二等分」をその意味通りにすることや「同じ」をその意味通りにすることは実際上難しいことから、「二等分」は「正確に二等分」の他に「略二等分」をその意味として含み、「同じ」は「正確に同じ」の他に「略同じ」をその意味として含む。
【００５５】
また、図３（Ａ）〜図３（Ｄ）には、第２端子３３の実装部３３ｃの下面の形状として脚部３３ｂ側の２つの角の角度が「９０度」である「Ｕ字形」を示したが、該「Ｕ字形」は、図面に示した半円形の他、円弧角度が９０度に満たない弓形や、円弧角度が９０度を越える弓形や、前記湾曲線として楕円の一部等の曲率半径が一定でない曲線を利用した形、即ち、Ｕに近い形であれば適宜利用でき、前記同様の効果を発揮できる。加えて、前記「９０度」は、前記「Ｕ字形」が半円形であることを前提としたものであるが、該「Ｕ字形」がＵに近い種々の形を含むことからして９０度には限定されない。
【００５６】
さらに、図３（Ａ）〜図３（Ｄ）には、第２端子３３の実装部３３ｃの下面を形成する境界線３３ｃ１の両端が外接正方形ＩＱの一角を形成する「２つの辺上にそれぞれ位置」していて、Ｕ字形の高さに当たる寸法Ｌ３が該境界線３３ｃ１の寸法Ｌ１の「１／２」となっている態様を示したが、部品公差や組立公差や組立後の変形等を考慮すると「２つの辺上にそれぞれ位置」をその意味通りにすることや「１／２」をその意味通りにすることは実際上難しいことから、「２つの辺上にそれぞれ位置」は「２つの辺上にそれぞれ正確に位置」の他に「２つの辺上にそれぞれ略位置」をその意味として含み、「１／２」は「正確に１／２」の他に「約１／２」をその意味として含む。
【００５７】
さらに、図３（Ａ）〜図３（Ｄ）には、第２端子３３の実装部３３ｃの下面を形成する境界線３３ｃ１の両端が外接正方形ＩＱの一角を形成する「２つの辺上にそれぞれ位置」した態様を示したが、該境界線３３ｃ１の両端は必ずしも「２つの辺上にそれぞれ位置」させる必要は無く、例えば、境界線３３ｃ１の両端が外接正方形ＩＱの一角を形成する２つの辺よりも僅かに内側に位置する態様や、該境界線３３ｃ１の両端が外接正方形ＩＱ一角を形成する２つの辺よりも僅かに外側に位置する態様を採用しても、前記同様の効果を発揮できる。
【００５８】
さらに、図３（Ａ）〜図３（Ｄ）には、前記Ｕ字形の高さに当たる寸法Ｌ３が境界線３３ｃ１の寸法Ｌ１の「１／２」となっている態様を示したが、該寸法Ｌ３は必ずしも境界線３３ｃ１の寸法Ｌ１の「１／２」とする必要は無く、例えば、寸法Ｌ３が境界線３３ｃ１の寸法Ｌ１の１／２よりも僅かに小さい態様や、寸法Ｌ３が境界線３３ｃ１の寸法Ｌ１の１／２よりも僅かに大きい態様等を採用しても、前記同様の効果を発揮できる。
【００５９】
さらに、図３（Ａ）〜図３（Ｄ）には、第２端子３３として脚部３３ｂの幅が固定部３３ａの幅よりも小さいものを示したが、該脚部３３ｂの幅を固定部３３ａの幅と同じにしても、逆に、該固定部３３ａの幅を脚部３３ｂの幅と同じにしても、前記同様の効果を発揮できる。
【００６０】
［第３実施形態］
図４（Ａ）〜図４（Ｄ）は本発明を適用した端子付き電気化学セル（第３実施形態）を示すもので、該端子付き電気化学セル４０は、ボタン型或いはコイン型の電気化学セル４１に表面実装用の第１端子４２及び第２端子４３を設けて構成されている。因みに、図４（Ａ）、図４（Ｂ）及び図４（Ｄ）に記した＋印は電気化学セル４１の中心を示し、二点鎖線の正方形は電気化学セル４１に外接する外接正方形ＩＱを示し、一点鎖線の直線は外接正方形ＩＱの一対角線ＤＬを示す。
【００６１】
図４（Ａ）〜図４（Ｄ）には、前記端子付き電気化学セル２０（第１実施形態）と区別するために４０番台の符号を用いて端子付き電気化学セル４０を示したが、該端子付き電気化学セル４０の第２端子４３を除く構成は前記端子付き電気化学セル２０（第１実施形態）と同じであるため、ここでは第２端子４３の態様についてのみ説明し、該説明に続けて端子付き電気化学セル４０に依る効果について説明し、該説明に続いて第２端子４３の形状変形例等について説明する。
【００６２】
第２端子４３は、ニッケルやステンレスやニッケル−鉄合金等から成る略矩形状で所定厚さの金属板を異なる位置で二度折り曲げることによって形成されており、略矩形状の固定部４３ａと、固定部４３ａよりも幅が小さく、且つ、固定部４３ａの端縁から下側に直角に折れ曲がる矩形状の脚部４３ｂ（４３ｂ１は固定部４３ａとの境界線を示す）と、脚部４３ｂの端縁から外側に直角に折れ曲がる台形状の実装部４３ｃ（４３ｃ１は脚部４３ｂとの境界線を示す）とを連続して有している。
【００６３】
この第２端子４３は外接正方形ＩＱの一対角線ＤＬの方向に配置されており、レーザー溶接や抵抗溶接や超音波溶接等の接合手法によって固定部４３ａの下面一部をセルケース４１ａの円形平面に固着されている。脚部４３ｂは、固定部４３ａと実装部４３ｃとの間に電気化学セル４１の厚さに対応する高さを確保する部分となっており、実装部４３ｃの下面は、電気化学セル４１をその厚さ方向の一面（図面ではセルキャップ４１ｂの円形平面）が回路基板（図示省略）の被実装面と向き合った姿勢で表面実装するときに該回路基板のパッドに接続される実装面となっている。
【００６４】
図４（Ｂ）及び図４（Ｄ）から分かるように、第２端子４３の実装部４３ｃの下面の形状は、境界線４３ｃ１と同じ寸法Ｌ１の下底と該下底よりも小さい寸法Ｌ５の上底と該下底と７５度の角度θを成す２つの辺とで囲まれ、且つ、該境界線４３ｃ１が該下底として用いられた台形（図４（Ｂ）の網掛けを参照）を成しており、脚部４３ｂ側の２つの角の角度は７５度である。この実装部４３ｃの下面の下面（台形面）は、該下面を形成する境界線４３ｃ１の両端が外接正方形ＩＱの一角を形成する２つの辺上にそれぞれ位置しており、台形の下底及び上底の中心は一対角線ＤＬ上に位置している。また、台形の高さに当たる寸法Ｌ４が境界線４３ｃ１の寸法Ｌ１の１／２となっているため、上底の中心が外接正方形ＩＱの一角に位置している。
【００６５】
要するに、第２端子４３の実装部４３ｃの下面（台形面）の一部（１つの三角形領域）は外接正方形ＩＱの一角を形成する２つの辺から外側に突出しておらず、且つ、該実装部４３ｃの下面（台形面）の残部（２つの三角形領域）は該外接正方形ＩＱの一角を形成する２つの辺から外側に突出している。また、第２端子４３の実装部４３ｃの下面（台形面）はその面積が一対角線ＤＬによって二等分されているため、外接正方形ＩＱの一角を形成する２つの辺から外側に突出する前記残部（２つの三角形領域）の面積は一対角線ＤＬの両側において同じになっている。
【００６６】
前記端子付き電気化学セル４０は、第１端子４２の実装部４２ｃの下面（長方形面）と第２端子４３の実装部４３ｃの下面（台形面）をハンダ等の接合材を介して回路基板のパッドに接続することによって、電気化学セル４１の厚さ方向の一面（図面ではセルキャップ４１ｂの円形平面）が回路基板の被実装面と向き合った姿勢で表面実装される。
【００６７】
前述の端子付き電気化学セル４０にあっては、第２端子４３が外接正方形ＩＱの一対角線ＤＬの方向に配置されていると共に、該第２端子４３の実装部４３ｃの下面（台形面）の一部（１つの三角形領域）が外接正方形ＩＱの一角を形成する２つの辺から外側に突出しておらず、且つ、該実装部４３ｃの下面（台形面）の残部（２つの三角形領域）が該外接正方形ＩＱの一角を形成する２つの辺から外側に突出している。つまり、第２端子４３の実装部４３ｃの下面の面積を増加させて第１端子４２の実装部４２ｃの下面の面積との格差を小さくできるため、表面実装後の端子付き電気化学セル４０に振動等の負荷が加わっても、第２端子４３の実装部４３ｃの下面に第１端子４２の実装部４２ｃの下面よりも大きな応力が偏って生じることを抑制して該実装部４３ｃの下面の接続に劣化を生じることを防止できる。
【００６８】
また、前述の端子付き電気化学セル４０にあっては、第２端子４３の実装部４３ｃの下面（台形面）が該下面の面積を一対角線ＤＬによって二等分される形状を成していて、外接正方形ＩＱの一角を形成する２つの辺から外側に突出する前記残部（２つの三角形領域）の面積が該一対角線ＤＬの両側において同じになっている。つまり、第２端子４３の実装部４３ｃの下面の面積を増加させる場合でも、表面実装後の端子付き電気化学セル４０に振動等の負荷が加わったときに第２端子４３の実装部４３ｃの下面に生じた応力を一対角線ＤＬの両側で均等になるようにして、前記の接続劣化の防止に貢献できる。
【００６９】
さらに、前述の端子付き電気化学セル４０にあっては、第２端子４３の実装部４３ｃの下面の形状が、該実装部４３ｃと脚部４３ｂとの境界線４３ｃ１と同じ寸法Ｌ１の下底と該下底よりも小さい寸法Ｌ５の上底と該下底と７５度の角度θを成す２つの辺とで囲まれた台形であり、且つ、該境界線４３ｃ１が該下底として用いられている。つまり、第２端子４３の実装部４３ｃの下面（台形面）の脚部４３ｂ側の２つの角の角度が７５度であり他の２つの角の角度が１０５度であるため、表面実装後の端子付き電気化学セル４０に振動等の負荷が加わったときに第２端子４３の実装部４３ｃの下面に生じた応力が脚部４３ｂ側の２つの角に集中することを抑制して、前記の接続劣化の防止に貢献できる。これに対し、図１（Ａ）〜図１（Ｃ）に示した従来の端子付き電気化学セル１０にあっては、第２端子１３の実装部１３ｃの下面（三角形面）の脚部１３ｂ側の２つの角の角度が４５度であり他の１つの角の角度が９０度であるため、該実装部１３ｃの下面に生じた応力が小角度である脚部１３ｂ側の２つの角に集中し易い。
【００７０】
さらに、前述の端子付き電気化学セル４０にあっては、第２端子４３の実装部４３ｃの下面を形成する境界線４３ｃ１の両端が外接正方形ＩＱの一角を形成する２つの辺上にそれぞれ位置していて、前記台形の高さに当たる寸法Ｌ４が境界線４３ｃ１の寸法Ｌ１の１／２となっている。つまり、第２端子４３の実装部４３ｃの下面の面積を増加させる場合でも、外接正方形ＩＱの一角を形成する２つの辺から外側に突出する前記残部（２つの三角形領域）の面積を極力低減して、端子付き電気化学セル４０を回路基板に表面実装するときの実装面積が必要以上に増加してしまうことを防止できる。
【００７１】
さらに、前述の端子付き電気化学セル４０にあっては、外接正方形ＩＱの一角に第２端子４３の実装部４３ｃの下面が存し、該外接正方形ＩＱの一角と隣接する一角に第１端子４２の実装部４２ｃの下面の一部が存する態様を有し、該端子付き電気化学セル４０を下から見たときに第２端子４３の実装部４３ｃの下面の全部が電気化学セル４１から外側に突出し、且つ、該実装部４３ｃの下面面積に匹敵する面積をもって第１端子４２の実装部４２ｃの一部が電気化学セル４１から外側に突出している。つまり、端子付き電気化学セル４０をリフローハンダ付けによって回路基板に表面実装するときに、ハンダ付け不良、例えば第２端子４３の実装部４３ｃが浮き上がる現象、所謂、マンハッタン現象が生じることを抑制できる。
【００７２】
図５（Ａ）と図５（Ｂ）は前記実装部４３ｃの形状変形例を示すもので、図５（Ａ）に示した実装部４３ｃの下面の形状は、該実装部４３ｃと脚部４３ｂとの境界線４３ｃ１と同じ寸法Ｌ１の下底と該下底よりも大きい寸法Ｌ５の上底と該下底と１０５度の角度θを成す２つの辺とで囲まれた台形を成している。また、図５（Ｂ）に示した実装部４３ｃの下面の形状は、該実装部４３ｃと脚部４３ｂとの境界線４３ｃ１と同じ寸法Ｌ１の下底と該下底よりも大きい寸法Ｌ５の上底と該下底と１３５度の角度θを成す２つの辺とで囲まれた台形を成している。前記実装部４３ｃの形状を図５（Ａ）と図５（Ｂ）に示した実装部４３ｃのように変えても、前記と同様の効果を発揮できる。
【００７３】
尚、図４（Ａ）〜図４（Ｄ）と図５（Ａ）と図５（Ｂ）には、第２端子４３の実装部４３ｃの下面が該下面の面積を一対角線ＤＬによって「二等分」される形状を成していて、外接正方形ＩＱの一角を形成する２つの辺から外側に突出する前記残部（２つの三角形領域）の面積が該一対角線ＤＬの両側において「同じ」になっている態様を示したが、部品公差や組立公差や組立後の変形等を考慮すると「二等分」をその意味通りにすることや「同じ」をその意味通りにすることは実際上難しいことから、「二等分」は「正確に二等分」の他に「略二等分」をその意味として含み、「同じ」は「正確に同じ」の他に「略同じ」をその意味として含む。
【００７４】
また、図４（Ａ）〜図４（Ｄ）と図５（Ａ）と図５（Ｂ）には、第２端子４３の実装部４３ｃの下面の形状として脚部４３ｂ側の２つの角の角度が「７５度」、「１０５度」または「１３５度」である「台形」を示したが、該「台形」は、４つの角のうちの外側２つの角に丸み付けが施された形や、下底と上底が正確に平行になっていない形、即ち、台形と実質的に同一視できる形であれば適宜利用でき、前記同様の効果を発揮できる。加えて、前記「７５度」、「１０５度」または「１３５度」は、前記「台形」の下底と上底との長さ関係に応じて変化するものであり、該「台形」が台形と実質的に同一視できる種々の形を含むことからこれら角度には限定されない。
【００７５】
さらに、図４（Ａ）〜図４（Ｄ）と図５（Ａ）と図５（Ｂ）には、第２端子４３の実装部４３ｃの下面を形成する境界線４３ｃ１の両端が外接正方形ＩＱの一角を形成する「２つの辺上にそれぞれ位置」していて、台形の高さに当たる寸法Ｌ４が該境界線４３ｃ１の寸法Ｌ１の「１／２」となっている態様を示したが、部品公差や組立公差や組立後の変形等を考慮すると「２つの辺上にそれぞれ位置」をその意味通りにすることや「１／２」をその意味通りにすることは実際上難しいことから、「２つの辺上にそれぞれ位置」は「２つの辺上にそれぞれ正確に位置」の他に「２つの辺上にそれぞれ略位置」をその意味として含み、「１／２」は「正確に１／２」の他に「約１／２」をその意味として含む。
【００７６】
さらに、図４（Ａ）〜図４（Ｄ）と図５（Ａ）と図５（Ｂ）には、第２端子４３の実装部４３ｃの下面を形成する境界線４３ｃ１の両端が外接正方形ＩＱの一角を形成する「２つの辺上にそれぞれ位置」した態様を示したが、該境界線４３ｃ１の両端は必ずしも「２つの辺上にそれぞれ位置」させる必要は無く、例えば、境界線４３ｃ１の両端が外接正方形ＩＱの一角を形成する２つの辺よりも僅かに内側に位置する態様や、該境界線４３ｃ１の両端が外接正方形ＩＱ一角を形成する２つの辺よりも僅かに外側に位置する態様を採用しても、前記同様の効果を発揮できる。
【００７７】
さらに、図４（Ａ）〜図４（Ｄ）と図５（Ａ）と図５（Ｂ）には、前記台形の高さに当たる寸法Ｌ４が境界線４３ｃ１の寸法Ｌ１の「１／２」となっている態様を示したが、該寸法Ｌ４は必ずしも境界線４３ｃ１の寸法Ｌ１の「１／２」とする必要は無く、例えば、寸法Ｌ４が境界線４３ｃ１の寸法Ｌ１の１／２よりも僅かに小さい態様や、寸法Ｌ３が境界線４３ｃ１の寸法Ｌ１の１／２よりも僅かに大きい態様等を採用しても、前記同様の効果を発揮できる。
【００７８】
さらに、図４（Ａ）〜図４（Ｄ）と図５（Ａ）と図５（Ｂ）には、第２端子４３として脚部４３ｂの幅が固定部４３ａの幅よりも小さいものを示したが、該脚部４３ｂの幅を固定部４３ａの幅と同じにしても、逆に、該固定部４３ａの幅を脚部４３ｂの幅と同じにしても、前記同様の効果を発揮できる。
【００７９】
［第４実施形態］
図６（Ａ）〜図６（Ｄ）は本発明を適用した端子付き電気化学セル（第４実施形態）を示すもので、該端子付き電気化学セル５０は、ボタン型或いはコイン型の電気化学セル５１に表面実装用の第１端子５２及び第２端子５３を設けて構成されている。因みに、図６（Ａ）、図６（Ｂ）及び図６（Ｄ）に記した＋印は電気化学セル５１の中心を示し、二点鎖線の正方形は電気化学セル５１に外接する外接正方形ＩＱを示し、一点鎖線の直線は外接正方形ＩＱの一対角線ＤＬを示す。
【００８０】
図６（Ａ）〜図６（Ｄ）には、前記端子付き電気化学セル２０（第１実施形態）と区別するために５０番台の符号を用いて端子付き電気化学セル５０を示したが、該端子付き電気化学セル５０の第２端子５３を除く構成は前記端子付き電気化学セル２０（第１実施形態）と同じであるため、ここでは第２端子５３の態様についてのみ説明し、該説明に続けて端子付き電気化学セル５０に依る効果について説明し、該説明に続いて第２端子５３の形状変形例等について説明する。
【００８１】
第２端子５３は、ニッケルやステンレスやニッケル−鉄合金等から成る略矩形状で所定厚さの金属板を異なる位置で二度折り曲げることによって形成されており、略矩形状の固定部５３ａと、固定部５３ａよりも幅が小さく、且つ、固定部５３ａの端縁から下側に直角に折れ曲がる矩形状の脚部５３ｂ（５３ｂ１は固定部５３ａとの境界線を示す）と、脚部５３ｂの端縁から外側に直角に折れ曲がる三角形状の実装部５３ｃ（５３ｃ１は脚部５３ｂとの境界線を示す）とを連続して有している。
【００８２】
この第２端子５３は外接正方形ＩＱの一対角線ＤＬの方向に配置されており、レーザー溶接や抵抗溶接や超音波溶接等の接合手法によって固定部５３ａの下面一部をセルケース５１ａの円形平面に固着されている。脚部５３ｂは、固定部５３ａと実装部５３ｃとの間に電気化学セル５１の厚さに対応する高さを確保する部分となっており、実装部５３ｃの下面は、電気化学セル５１をその厚さ方向の一面（図面ではセルキャップ５１ｂの円形平面）が回路基板（図示省略）の被実装面と向き合った姿勢で表面実装するときに該回路基板のパッドに接続される実装面となっている。
【００８３】
図６（Ｂ）及び図６（Ｄ）から分かるように、第２端子５３の実装部５３ｃの下面の形状は、境界線５３ｃ１と同じ寸法Ｌ１の底辺と該底辺と６０度の角度θを成す２つの辺とで囲まれ、且つ、該境界線５３ｃ１が該底辺として用いられた三角形（図面では正三角形、図６（Ｂ）の網掛けを参照）を成しており、脚部５３ｂ側の２つの角の角度は６０度である。この実装部５３ｃの下面（三角形面）は、該下面を形成する境界線５３ｃ１の両端が外接正方形ＩＱの一角を形成する２つの辺上にそれぞれ位置しており、三角形の底辺の中心と頂角が一対角線ＤＬ上に位置している。また、三角形の高さに当たる寸法Ｌ６が境界線５３ｃ１の寸法Ｌ１の１／２よりも大きくなっているため、頂点は外接正方形ＩＱの一角の外側に位置している。
【００８４】
要するに、第２端子５３の実装部５３ｃの下面（三角形面）の一部（１つの三角形領域）は外接正方形ＩＱの一角を形成する２つの辺から外側に突出しておらず、且つ、該実装部５３ｃの下面（三角形面）の残部（１つのＶ状領域）は該外接正方形ＩＱの一角を形成する２つの辺から外側に突出している。また、第２端子５３の実装部５３ｃの下面（三角形面）はその面積が一対角線ＤＬによって二等分されているため、外接正方形ＩＱの一角を形成する２つの辺から外側に突出する前記残部（１つのＶ状領域）の面積は一対角線ＤＬの両側において同じになっている。
【００８５】
前記端子付き電気化学セル５０は、第１端子５２の実装部５２ｃの下面（長方形面）と第２端子５３の実装部５３ｃの下面（三角形面）をハンダ等の接合材を介して回路基板のパッドに接続することによって、電気化学セル５１の厚さ方向の一面（図面ではセルキャップ５１ｂの円形平面）が回路基板の被実装面と向き合った姿勢で表面実装される。
【００８６】
前述の端子付き電気化学セル５０にあっては、第２端子５３が外接正方形ＩＱの一対角線ＤＬの方向に配置されていると共に、該第２端子５３の実装部５３ｃの下面（三角形面）の一部（１つの三角形領域）が外接正方形ＩＱの一角を形成する２つの辺から外側に突出しておらず、且つ、該実装部５３ｃの下面（三角形面）の残部（１つのＶ状領域）が該外接正方形ＩＱの一角を形成する２つの辺から外側に突出している。つまり、第２端子５３の実装部５３ｃの下面の面積を増加させて第１端子５２の実装部５２ｃの下面の面積との格差を小さくできるため、表面実装後の端子付き電気化学セル５０に振動等の負荷が加わっても、第２端子５３の実装部５３ｃの下面に第１端子５２の実装部５２ｃの下面よりも大きな応力が偏って生じることを抑制して該実装部５３ｃの下面の接続に劣化を生じることを防止できる。
【００８７】
また、前述の端子付き電気化学セル５０にあっては、第２端子５３の実装部５３ｃの下面（三角形面）が該下面の面積を一対角線ＤＬによって二等分される形状を成していて、外接正方形ＩＱの一角を形成する２つの辺から外側に突出する前記残部（１つのＶ状領域）の面積が該一対角線ＤＬの両側において同じになっている。つまり、第２端子５３の実装部５３ｃの下面の面積を増加させる場合でも、表面実装後の端子付き電気化学セル５０に振動等の負荷が加わったときに第２端子５３の実装部５３ｃの下面に生じた応力を一対角線ＤＬの両側で均等になるようにして、前記の接続劣化の防止に貢献できる。
【００８８】
さらに、前述の端子付き電気化学セル５０にあっては、第２端子５３の実装部５３ｃの下面の形状が、該実装部５３ｃと脚部５３ｂとの境界線５３ｃ１と同じ寸法Ｌ１の底辺と該底辺と６０度の角度θを成す２つの辺とで囲まれた三角形であり、且つ、該境界線５３ｃ１が該底辺として用いられている。つまり、第２端子５３の実装部５３ｃの下面（三角形面）の脚部５３ｂ側の２つの角の角度が６０度であり他の１つの角の角度も６０度であるため、表面実装後の端子付き電気化学セル５０に振動等の負荷が加わったときに第２端子５３の実装部５３ｃの下面に生じた応力が脚部５３ｂ側の２つの角に集中することを抑制して、前記の接続劣化の防止に貢献できる。これに対し、図１（Ａ）〜図１（Ｃ）に示した従来の端子付き電気化学セル１０にあっては、第２端子１３の実装部１３ｃの下面（三角形面）の脚部１３ｂ側の２つの角の角度が４５度であり他の１つの角の角度が９０度であるため、該実装部１３ｃの下面に生じた応力が小角度である脚部１３ｂ側の２つの角に集中し易い。
【００８９】
さらに、前述の端子付き電気化学セル５０にあっては、第２端子５３の実装部５３ｃの下面を形成する境界線５３ｃ１の両端が外接正方形ＩＱの一角を形成する２つの辺上にそれぞれ位置していて、前記三角形の高さに当たる寸法Ｌ６が境界線５３ｃ１の寸法Ｌ１の１／２よりも大きくなっている。つまり、第２端子５３の実装部５３ｃの下面の面積を増加させる場合でも、寸法Ｌ６が極端に大きくならないように調整すれば、外接正方形ＩＱの一角を形成する２つの辺から外側に突出する前記残部（１つのＶ状領域）の面積を極力低減して、端子付き電気化学セル５０を回路基板に表面実装するときの実装面積が必要以上に増加してしまうことを防止できる。
【００９０】
さらに、前述の端子付き電気化学セル５０にあっては、外接正方形ＩＱの一角に第２端子５３の実装部５３ｃの下面が存し、該外接正方形ＩＱの一角と隣接する一角に第１端子５２の実装部５２ｃの下面の一部が存する態様を有し、該端子付き電気化学セル５０を下から見たときに第２端子５３の実装部５３ｃの下面の全部が電気化学セル５１から外側に突出し、且つ、該実装部５３ｃの下面面積に匹敵する面積をもって第１端子５２の実装部５２ｃの一部が電気化学セル５１から外側に突出している。つまり、端子付き電気化学セル５０をリフローハンダ付けによって回路基板に表面実装するときに、ハンダ付け不良、例えば第２端子５３の実装部５３ｃが浮き上がる現象、所謂、マンハッタン現象が生じることを抑制できる。
【００９１】
尚、図６（Ａ）〜図６（Ｄ）には、第２端子５３の実装部５３ｃの下面が該下面の面積を一対角線ＤＬによって「二等分」される形状を成していて、外接正方形ＩＱの一角を形成する２つの辺から外側に突出する前記残部（１つのＶ状領域）の面積が該一対角線ＤＬの両側において「同じ」になっている態様を示したが、部品公差や組立公差や組立後の変形等を考慮すると「二等分」をその意味通りにすることや「同じ」をその意味通りにすることは実際上難しいことから、「二等分」は「正確に二等分」の他に「略二等分」をその意味として含み、「同じ」は「正確に同じ」の他に「略同じ」をその意味として含む。
【００９２】
また、図６（Ａ）〜図６（Ｄ）には、第２端子５３の実装部５３ｃの下面の形状として脚部５３ｂ側の２つの角の角度が「６０度」である「三角形」を示したが、該「三角形」は、図面に示した正三角形の他、二等辺三角形や、２つの底角の角度が正確に同じになっていない形や、頂角に丸み付けが施された形、即ち、三角形と実質的に同一視できる形であれば適宜利用でき、前記同様の効果を発揮できる。加えて、前記「６０度」は、前記「三角形」が正三角形であることを前提としたものであるが、該「三角形」が三角形と実質的に同一視できる種々の形を含むことからして６０度には限定されない。
【００９３】
さらに、図６（Ａ）〜図６（Ｄ）には、第２端子５３の実装部５３ｃの下面を形成する境界線５３ｃ１の両端が外接正方形ＩＱの一角を形成する「２つの辺上にそれぞれ位置」している態様を示したが、部品公差や組立公差や組立後の変形等を考慮すると「２つの辺上にそれぞれ位置」をその意味通りにすることは実際上難しいことから、「２つの辺上にそれぞれ位置」は「２つの辺上にそれぞれ正確に位置」の他に「２つの辺上にそれぞれ略位置」をその意味として含む。
【００９４】
さらに、図６（Ａ）〜図６（Ｄ）には、第２端子５３の実装部５３ｃの下面を形成する境界線５３ｃ１の両端が外接正方形ＩＱの一角を形成する「２つの辺上にそれぞれ位置」した態様を示したが、該境界線５３ｃ１の両端は必ずしも「２つの辺上にそれぞれ位置」させる必要は無く、例えば、境界線５３ｃ１の両端が外接正方形ＩＱの一角を形成する２つの辺よりも僅かに内側に位置する態様や、該境界線５３ｃ１の両端が外接正方形ＩＱ一角を形成する２つの辺よりも僅かに外側に位置する態様を採用しても、前記同様の効果を発揮できる。
【００９５】
さらに、図６（Ａ）〜図６（Ｄ）には、第２端子５３として脚部５３ｂの幅が固定部５３ａの幅よりも小さいものを示したが、該脚部５３ｂの幅を固定部５３ａの幅と同じにしても、逆に、該固定部５３ａの幅を脚部５３ｂの幅と同じにしても、前記同様の効果を発揮できる。
【００９６】
［第５実施形態］
図７（Ａ）〜図７（Ｄ）は本発明を適用した端子付き電気化学セル（第５実施形態）を示すもので、該端子付き電気化学セル６０は、ボタン型或いはコイン型の電気化学セル６１に表面実装用の第１端子６２及び第２端子６３を設けて構成されている。因みに、図７（Ａ）、図７（Ｂ）及び図７（Ｄ）に記した＋印は電気化学セル６１の中心を示し、二点鎖線の正方形は電気化学セル６１に外接する外接正方形ＩＱを示し、一点鎖線の直線は外接正方形ＩＱの一対角線ＤＬを示す。
【００９７】
図７（Ａ）〜図７（Ｄ）には、前記端子付き電気化学セル２０（第１実施形態）と区別するために６０番台の符号を用いて端子付き電気化学セル６０を示したが、該端子付き電気化学セル６０の第２端子６３を除く構成は前記端子付き電気化学セル２０（第１実施形態）と同じであるため、ここでは第２端子６３の態様についてのみ説明し、該説明に続けて端子付き電気化学セル６０に依る効果について説明し、該説明に続いて第２端子６３の形状変形例等について説明する。
【００９８】
第２端子６３は、ニッケルやステンレスやニッケル−鉄合金等から成る略矩形状で所定厚さの金属板を異なる位置で二度折り曲げることによって形成されており、略矩形状の固定部６３ａと、固定部６３ａよりも幅が小さく、且つ、固定部６３ａの端縁から下側に直角に折れ曲がる矩形状の脚部６３ｂ（６３ｂ１は固定部６３ａとの境界線を示す）と、脚部６３ｂの端縁から外側に直角に折れ曲がる矩形状の実装部６３ｃ（６３ｃ１は脚部６３ｂとの境界線を示す）とを連続して有している。
【００９９】
この第２端子６３は外接正方形ＩＱの一対角線ＤＬの方向に配置されており、レーザー溶接や抵抗溶接や超音波溶接等の接合手法によって固定部６３ａの下面一部をセルケース６１ａの円形平面に固着されている。脚部６３ｂは、固定部６３ａと実装部６３ｃとの間に電気化学セル６１の厚さに対応する高さを確保する部分となっており、実装部６３ｃの下面は、電気化学セル６１をその厚さ方向の一面（図面ではセルキャップ６１ｂの円形平面）が回路基板（図示省略）の被実装面と向き合った姿勢で表面実装するときに該回路基板のパッドに接続される実装面となっている。
【０１００】
図７（Ｂ）及び図７（Ｄ）から分かるように、第２端子６３の実装部６３ｃの下面の形状は、境界線６３ｃ１よりも大きな寸法Ｌ８の２つの長辺と該長辺よりも小さい寸法Ｌ７の２つの短辺とで囲まれ、且つ、該境界線６３ｃ１が該２つの長辺の一方の一部として用いられた長方形（図７（Ｂ）の網掛けを参照）を成しており、４つの角の角度は９０度である。この実装部６３ｃの下面（長方形面）は、該下面を形成する境界線６３ｃ１の両端が外接正方形ＩＱの一角を形成する２つの辺上にそれぞれ位置しており、長方形の２つの長辺の中心が一対角線ＤＬ上に位置している。また、長方形の２つの短辺の寸法Ｌ７が境界線６３ｃ１の寸法Ｌ１の１／２となっているため、外側の長辺の中心が外接正方形ＩＱの一角に位置している。
【０１０１】
要するに、第２端子６３の実装部６３ｃの下面（長方形面）の一部（１つの三角形領域）は外接正方形ＩＱの一角を形成する２つの辺から外側に突出しておらず、且つ、該実装部６３ｃの下面（長方形面）の残部（２つの台形領域）は該外接正方形ＩＱの一角を形成する２つの辺から外側に突出している。また、第２端子６３の実装部６３ｃの下面（長方形面）はその面積が一対角線ＤＬによって二等分されているため、外接正方形ＩＱの一角を形成する２つの辺から外側に突出する前記残部（２つの台形領域）の面積は一対角線ＤＬの両側において同じになっている。
【０１０２】
前記端子付き電気化学セル６０は、第１端子６２の実装部６２ｃの下面（長方形面）と第２端子６３の実装部６３ｃの下面（長方形面）をハンダ等の接合材を介して回路基板のパッドに接続することによって、電気化学セル６１の厚さ方向の一面（図面ではセルキャップ６１ｂの円形平面）が回路基板の被実装面と向き合った姿勢で表面実装される。
【０１０３】
前述の端子付き電気化学セル６０にあっては、第２端子６３が外接正方形ＩＱの一対角線ＤＬの方向に配置されていると共に、該第２端子６３の実装部６３ｃの下面（長方形面）の一部（１つの三角形領域）が外接正方形ＩＱの一角を形成する２つの辺から外側に突出しておらず、且つ、該実装部６３ｃの下面（長方形面）の残部（２つの台形領域）が該外接正方形ＩＱの一角を形成する２つの辺から外側に突出している。つまり、第２端子６３の実装部２３ｃの下面の面積を増加させて第１端子６２の実装部６２ｃの下面の面積との格差を小さくできるため、表面実装後の端子付き電気化学セル６０に振動等の負荷が加わっても、第２端子６３の実装部６３ｃの下面に第１端子６２の実装部６２ｃの下面よりも大きな応力が偏って生じることを抑制して該実装部６３ｃの下面の接続に劣化を生じることを防止できる。
【０１０４】
また、前述の端子付き電気化学セル６０にあっては、第２端子６３の実装部６３ｃの下面（長方形面）が該下面の面積を一対角線ＤＬによって二等分される形状を成していて、外接正方形ＩＱの一角を形成する２つの辺から外側に突出する前記残部（２つの台形領域）の面積が該一対角線ＤＬの両側において同じになっている。つまり、第２端子６３の実装部６３ｃの下面の面積を増加させる場合でも、表面実装後の端子付き電気化学セル６０に振動等の負荷が加わったときに第２端子６３の実装部６３ｃの下面に生じた応力を一対角線ＤＬの両側で均等になるようにして、前記の接続劣化の防止に貢献できる。
【０１０５】
さらに、前述の端子付き電気化学セル６０にあっては、第２端子６３の実装部６３ｃの下面の形状が、該実装部６３ｃと脚部６３ｂとの境界線６３ｃ１よりも大きな寸法Ｌ８の２つの長辺と該長辺よりも小さい寸法Ｌ７の２つの短辺とで囲まれた長方形であり、且つ、該境界線６３ｃ１が該２つの長辺の一方の一部として用いられている。つまり、第２端子６３の実装部６３ｃの下面（長方形面）の脚部６３ｂ側の２つの角の角度が９０度であり他の２つの角の角度も９０度であるため、表面実装後の端子付き電気化学セル６０に振動等の負荷が加わったときに第２端子６３の実装部６３ｃの下面に生じた応力が脚部６３ｂ側の２つの角に集中することを抑制して、前記の接続劣化の防止に貢献できる。これに対し、図１（Ａ）〜図１（Ｃ）に示した従来の端子付き電気化学セル１０にあっては、第２端子１３の実装部１３ｃの下面（三角形面）の脚部１３ｂ側の２つの角の角度が４５度であり他の１つの角の角度が９０度であるため、該実装部１３ｃの下面に生じた応力が小角度である脚部１３ｂ側の２つの角に集中し易い。
【０１０６】
さらに、前述の端子付き電気化学セル６０にあっては、第２端子６３の実装部６３ｃの下面を形成する境界線６３ｃ１の両端が外接正方形ＩＱの一角を形成する２つの辺上にそれぞれ位置していて、前記長方形の２つの短辺の寸法Ｌ７が該境界線２３ｃ１の寸法Ｌ１の１／２となっている。つまり、第２端子６３の実装部６３ｃの下面の面積を増加させる場合でも、寸法Ｌ８が極端に大きくならないように調整すれば、外接正方形ＩＱの一角を形成する２つの辺から外側に突出する前記残部（２つの台形領域）の面積を極力低減して、端子付き電気化学セル６０を回路基板に表面実装するときの実装面積が必要以上に増加してしまうことを防止できる。
【０１０７】
さらに、前述の端子付き電気化学セル６０にあっては、外接正方形ＩＱの一角に第２端子６３の実装部６３ｃの下面が存し、該外接正方形ＩＱの一角と隣接する一角に第１端子６２の実装部６２ｃの下面の一部が存する態様を有し、該端子付き電気化学セル６０を下から見たときに第２端子６３の実装部６３ｃの下面の全部が電気化学セル６１から外側に突出し、且つ、該実装部６３ｃの下面面積に匹敵する面積をもって第１端子６２の実装部６２ｃの下面の一部が電気化学セル６１から外側に突出している。つまり、端子付き電気化学セル６０をリフローハンダ付けによって回路基板に表面実装するときに、ハンダ付け不良、例えば第２端子６３の実装部６３ｃが浮き上がる現象、所謂、マンハッタン現象が生じることを抑制できる。
【０１０８】
尚、図７（Ａ）〜図７（Ｄ）には、第２端子６３の実装部６３ｃの下面が該下面の面積を一対角線ＤＬによって「二等分」される形状を成していて、外接正方形ＩＱの一角を形成する２つの辺から外側に突出する前記残部（２つの台形領域）の面積が該一対角線ＤＬの両側において「同じ」になっている態様を示したが、部品公差や組立公差や組立後の変形等を考慮すると「二等分」をその意味通りにすることや「同じ」をその意味通りにすることは実際上難しいことから、「二等分」は「正確に二等分」の他に「略二等分」をその意味として含み、「同じ」は「正確に同じ」の他に「略同じ」をその意味として含む。
【０１０９】
また、図７（Ａ）〜図７（Ｄ）には、第２端子６３の実装部６３ｃの下面の形状として４つの角全ての角度が「９０度」である「長方形」を示したが、該「長方形」は、４つの角のうちの外側２つの角に丸み付けが施された形や、長方形の４つの角の角度が正確に９０度になっていない形、即ち、長方形と実質的に同一視できる形であれば適宜利用でき、前記同様の効果を発揮できる。加えて、前記「９０度」は、前記「長方形」が正確な長方形であることを前提としたものであるが、該「長方形」が長方形と実質的に同一視できる種々の形を含むことからして９０度に限定されない。
【０１１０】
さらに、図７（Ａ）〜図７（Ｄ）には、第２端子６３の実装部６３ｃの下面を形成する境界線６３ｃ１の両端が外接正方形ＩＱの一角を形成する「２つの辺上にそれぞれ位置」していて、長方形の２つの短辺の寸法Ｌ７が該境界線６３ｃ１の寸法Ｌ１の「１／２」となっている態様を示したが、部品公差や組立公差や組立後の変形等を考慮すると「２つの辺上にそれぞれ位置」をその意味通りにすることや「１／２」をその意味通りにすることは実際上難しいことから、「２つの辺上にそれぞれ位置」は「２つの辺上にそれぞれ正確に位置」の他に「２つの辺上にそれぞれ略位置」をその意味として含み、「１／２」は「正確に１／２」の他に「約１／２」をその意味として含む。
【０１１１】
さらに、図７（Ａ）〜図７（Ｄ）には、第２端子６３の実装部６３ｃの下面を形成する境界線６３ｃ１の両端が外接正方形ＩＱの一角を形成する「２つの辺上にそれぞれ位置」した態様を示したが、該境界線６３ｃ１の両端は必ずしも「２つの辺上にそれぞれ位置」させる必要は無く、例えば、境界線６３ｃ１の両端が外接正方形ＩＱの一角を形成する２つの辺よりも僅かに内側に位置する態様や、該境界線６３ｃ１の両端が外接正方形ＩＱの一角を形成する２つの辺よりも僅かに外側に位置する態様等を採用しても、前記同様の効果を発揮できる。
【０１１２】
さらに、図７（Ａ）〜図７（Ｄ）には、前記長方形の２つの短辺の寸法Ｌ７が境界線６３ｃ１の寸法Ｌ１の「１／２」となっている態様を示したが、該寸法Ｌ７は必ずしも境界線６３ｃ１の寸法Ｌ１の「１／２」とする必要は無く、例えば、寸法Ｌ７が境界線６３ｃ１の寸法Ｌ１の１／２よりも僅かに小さい態様や、寸法Ｌ７が境界線６３ｃ１の寸法Ｌ１の１／２よりも僅かに大きい態様等を採用しても、前記同様の効果を発揮できる。
【０１１３】
さらに、図７（Ａ）〜図７（Ｄ）には、第２端子６３として脚部６３ｂの幅が固定部６３ａの幅よりも小さいものを示したが、該脚部６３ｂの幅を固定部６３ａの幅と同じにしても、逆に、該固定部６３ａの幅を脚部６３ｂの幅と同じにしても、前記同様の効果を発揮できる。
【符号の説明】
【０１１４】
２０，３０，４０，５０，６０…端子付き電気化学セル、２１，３１，４１，５１，６１…電気化学セル、２１ａ，３１ａ，４１ａ，５１ａ，６１ａ…セルケース、２１ｂ，３１ｂ，４１ｂ，５１ｂ，６１ｂ…セルキャップ、２２，３２，４２，５２，６２…第１端子、２２ａ，３２ａ，４２ａ，５２ａ，６２ａ…固定部、２２ｃ，３２ｃ，４２ｃ，５２ｃ，６２ｃ…実装部、２３，３３，４３，５３，６３…第２端子、２３ａ，３３ａ，４３ａ，５３ａ，６３ａ…固定部、２３ｂ，３３ｂ，４３ｂ，５３ｂ，６３ｂ…脚部、２３ｃ，３３ｃ，４３ｃ，５３ｃ，６３ｃ…実装部、ＩＱ…外接正方形、ＤＬ…外接正方形の一対角線。
【図１】
2012195202.tif 000003
【図２】
2012195202.tif 000004
【図３】
2012195202.tif 000005
【図４】
2012195202.tif 000006
【図５】
2012195202.tif 000007
【図６】
2012195202.tif 000008
【図７】
2012195202.tif 000009